(57)【要約】【課題】  煙草等をコンビニ等の店舗で陳列販売する際に、利用者のニーズに適応した陳列装置を提供する。【解決手段】  前後両側部に間隔をおいて設ける枠杆１の左右前後側部間にガイドレール２を上下に間隔をおいて複数段設け、この左右両ガイドレールの下側部３適所に切欠部４を設けて成るフレームユニットと、前記枠杆の左右ガイドレール上に載置するフリートレー１１とこのフリートレー内に並列する個別トレー１５から成るトレー部のうち、フリートレーの底面部の左右両側端部適所に突起を設け、個別トレーの長手方向の一側部には高い側壁を他側部には低いガイド壁を設け、前記個別トレーの内前端部には載せ台部を設け、前記個別トレーの長手方向の底面部中央に設けた孔レール上を摺動するスライダー２４から成るトレー部と、前記フレームユニットの枠杆の底面枠杆部を固着する台板５下に設けた抽出し部６に作業板を挿入して成る作業台部とから成る。【選択図】    図３
2007307244.tif 000002
【特許請求の範囲】
【請求項１】
前後両側部に適当間隔をおいて全体がロ形状に成る枠杆の左右前後側部間にガイドレールを上下に適当間隔をおいて複数段設け、この左右両ガイドレールの下側部中間適所に切欠部を設けて成るフレームユニットと、
前記フレームユニットの左右ガイドレール上に載置する巾広のフリートレーとこのフリートレーの内部に横列する巾狭の個別トレーから成るトレー部のうち、フリートレーの底面部の左右両側端部の中間適所に突起を設け、個別トレーの長手方向の一側部には高い側壁を設けるとともに他側部に低いガイド壁を設け、前記個別トレーの内前端部には山形状に成る載せ台部を設け、前記個別トレーの長手方向の底面部中央に設けた孔レールの前端部に発条帯の一端を止着し他端を孔レール上を摺動するスライダーの当て板の後側部に設けた軸部に捲着して成るトレー部と、
前記フレームユニットの枠杆の底面枠杆部を固着する台板下に抽出し部を形成し、ここに前端に手掛部を設けた作業板を挿入し、この作業板の裏面部には出し入れ時に前記抽出し部の一部に当接停止する下当接板を設けて成る作業台部と、
前記フレームユニットの枠杆の上面部又は下面部適所に任意の接合手段を設けて成る商品陳列装置。
【請求項２】
フリートレー上に側面三角形状の傾斜段部から成る変形トレーを介在し、この変形トレーの各傾斜段部上に個別トレーを載置するように成る請求項１に記載した商品陳列装置。
【請求項３】
前後両側部に適当間隔をおいて全体がロ形状に成る枠杆の左右前後側部間にガイドレールを上下に適当間隔をおいて複数段設け、この左右両ガイドレールの下側部中間適所に切欠部を設けて成るフレームユニットと、
前記フレームユニットの左右ガイドレール上に載置する巾広のフリートレーの内部に２つのレール部材を間隔をおいて並置し、このレール部材の前端部に当て板を設け、この当て板の背面部に発条帯の一端部を固着して前後に摺動し得るようにし、当て板の前面部で商品を押圧するように成るトレー部とから成る商品陳列装置。
【発明の詳細な説明】
【技術分野】
【０００１】
本発明は、煙草などの商品陳列装置に関するものである。
【背景技術】
【０００２】
従来、煙草などの商品をコンビニなどの店舗において陳列販売する際には、立体的なショーケースのトレー上に多種類のものを並列載置しておくことが普通であるところ、同じ目的を有するものとしては次のような技術文献が見られる。
【０００３】
【特許文献１】特開昭５９−２１８１１３号公報
【特許文献２】特開昭２００５−２３７５６６号公報
【特許文献３】実開平１−８６８５６号公報
【特許文献４】登録実用新案第３１１５２８９号公報
【特許文献５】登録実用新案第３１１８７００号公報
【発明の開示】
【発明が解決しようとする課題】
【０００４】
しかしながら、フレームユニット部、トレー部、作業台部の全部が一体となって総合的に構成された陳列装置に関する技術文献は見当たらず、各部が相関関係をもって合理的に構成されているものが存しないことに鑑み、利用者のニーズに適応した商品の陳列装置を提供することを目的とするものである。
【課題を解決するための手段】
【０００５】
本発明は、前後両側部に適当間隔をおいて全体がロ形状に成る枠杆の左右前後側部間にガイドレールを上下に適当間隔をおいて複数段設け、この左右両ガイドレールの下側部中間適所に切欠部を設けて成るフレームユニットと、
前記フレームユニットの左右ガイドレール上に載置する巾広のフリートレーとこのフリートレーの内部に横列する巾狭の個別トレーから成るトレー部のうち、フリートレーの底面部の左右両側端部の中間適所に突起を設け、個別トレーの長手方向の一側部には高い側壁を設けるとともに他側部に低いガイド壁を設け、前記個別トレーの内前端部には山形状に成る載せ台部を設け、前記個別トレーの長手方向の底面部中央に設けた孔レールの前端部に発条帯板の一端を止着し他端を孔レール上を摺動するスライダーの当て板の後側部に設けた軸部に捲着して成るトレー部と、
前記フレームユニットの枠杆の底面枠杆部を固着する台板下に抽出し部を形成し、ここに前端に手掛部を設けた作業板を挿入し、この作業板の裏面部には出し入れ時に前記抽出し部の一部に当接停止する下当接板を設けて成る作業台部と、
前記フレームユニットの枠杆の上面部又は下面部適所には任意の接合手段を設けて成るものである。
【発明の効果】
【０００６】
第１に、フレームユニットを構成する前後両側部の枠杆の左右前後側部間に設けたガイドレールの下側部適所に切欠部を設け、この切欠部にフリートレーの底面部の左右両側端部適所に設けた突起をスライド係合せしめるようにするから、内部に多数個の個別トレーを収容した状態でもフリートレーは常に不動状態を保持することができ、安心して商品を陳列することができる。
【０００７】
また、前記切欠部と突起との位置関係が枠杆がガイドレール上の切欠部もフリートレー上の突起も中心よりやや一方に偏心した位置に設けることによって、フリートレー内の個別トレー中の商品の突出状態を変化させることができるようになるから、陳列効果に変化を与えることができるのみならず、設置スペースの状況に即応してトレー部を変化させることができる。
【０００８】
第２に、トレー部において個別トレーの内部構造が一側部の側壁が高く他側部の側壁が極端に低く成ることによって、陳列商品の取出しや補充をし易くすることができるようになる。
【０００９】
また、個別トレーの底面部に設けた溝レール上を摺動するスライダーの当て板は常に発条帯によって加圧状態にあるから、最先位置にある商品は個別トレーの前端部には山形状に成る載せ台部に置かれて取り出し易い状態になることができる。
【００１０】
第３に、フレームユニットの底面部には作業台部を安定状態に設置しているから、その抽出し部から作業板を円滑かつ自由に出し入れることによって個別トレーへの陳列商品についての陳列作業を迅速かつ安全に行うことができる。
【００１１】
第４に、前記フレームユニットを構成する枠杆を複数段に構成したいときは、枠杆の上下面部に設けた接合手段を介して簡単かつ確実に行うことができる。
【発明を実施するための最良の形態】
【００１２】
本装置を所定場所に設置するときは、まず一つのフレームユニットを置いた後に、その枠杆の上面部に設けた接合手段に他の枠杆の下面部に設けた接合手段を接合して上方向に２〜４段を連結する。
【００１３】
フレームユニット内のフリートレーは各フレームユニットの左右のガイドレール上において、切欠部と突起との接合関係によって固定されるが、陳列効果を考えてフリートレー及び個別トレーの前後両面のフェイス面を一定にそろえるために、フレームユニットにおける飛び出し程度を調節する。
【００１４】
トレー部の個別トレー内に収容する商品に対してはその陳列形態は一定ではなくいろいろと変化をつけることができるから、使用者は商品によって様々な陳列を工夫すればよい。
【００１５】
作業台は、商品の陳列作業時などに自由に出し入れして使用することになる。
【実施例】
【００１６】
本発明に係る陳列機構は、大別すると次の三つの部材群から構成されている。
【００１７】
Ａ フレームユニット部
フレームユニットは、縦横の寸法がそれぞれ異なる種類のものを複数個用意する。
【００１８】
このフレームユニットは、その前後両側部に適当間隔をおいて全体がロ形状に成る枠杆１，１を形成し、この両枠杆の左右の前後側部間には断面コ形に成るガイドレール２，２を上下に適当間隔をおいて複数段に設け、この左右両ガイドレールの下側部３，３中間の中心からずれた位置に切欠部４，４を設ける。
【００１９】
５は前記前後左右両側枠杆１，１の底面枠杆部１'，１'を固着する台板で、この台板の左右両側端部はともに横断面コ形に成る抽出し部６，６を形成し、その後端面部には閉口部７を、前端面部には開口部８を設ける。前記抽出し部６，６の開口部８の上側縁部には曲折部９を設ける。
【００２０】
このフレームユニットのオリジナルパーツとしては、例えば横巾の比較的大きいものであっても小さいものであっても、左右のガイドレール部が二段のものと三段のものとを用意するが、上下段となる各枠杆の底面部と平面部の適所には、それぞれ脱着自在の任意の接合手段１０，１０，１０，１０を設け、これによって上下複数段を接合する。
【００２１】
したがって、フレームユニットＡのパーツとしては例えば四種類のものを用意することになり、これらのパーツを設置スペースの状況に応じてセットすればよい。
【００２２】
横方向への連続性は、フレームユニットを前後にずらして設置することができるようにすることにより、省スペース性を実現する。
【００２３】
Ｂ トレー部
トレー部は、前記フレームユニットＡの左右両ガイドレール２，２上に載置する大型で巾広のフリートレー１１と、このフリートレーの内部に横列に３個乃至５個載置する比較的巾狭の個別トレー１５から成る。
【００２４】
この個別トレー１５は、陳列商品量の多寡に合わせて短いものと長いものを用意するが、煙草ａでいえば前者では７個を，後者では１３個を収容配置することができるようにする。
【００２５】
前記フリートレー１１の前側面部には、低位のポケット壁部１２を設けるとともにその上方部は開口状態に成るが、左右両側面部及び後側面部には同一高さの壁部１３，１３，１３を形成する。
【００２６】
また、このフリートレー１１の底面部の左右両側端部の中心からずれた位置に突起１４，１４を設ける。この左右の突起は、フリートレーを前記フレームユニットの枠杆１，１の左右両ガイドレール２，２の下側部３，３に設けた切欠部４，４への挿入時に係合して安定するようになるが、その定置状態ではフリートレー１１及び個別トレー１５の正面部分は、フレームユニットの前側面部から外方に面一に突出した状態にある。
【００２７】
また、個別トレー１５は、長手方向の一側部及び前後両側部には必要高さの側壁１６を設け、他側部には若干高さのガイド壁１７を設けかつその上方は空間部１８と成り、個別トレー上に陳列する商品の取り出しや補充をし易くするようにする。
【００２８】
また、個別トレー１５の短手方向の前後両側端部にはカードポケット１９，１９を設け、任意の文字，数字などを記入した表示板を挿入する。このポケットの底面部には、ほこり出し孔２０，２０を設ける。
【００２９】
前記個別トレー１５の長手方向の底面部中央には、巾狭に成る孔レール２１を設ける。
【００３０】
前記孔レール２１の一方のカードポケット１９側の内前端部の左右両側部には山形状に成る載せ台部２２，２２を形成し、煙草箱等の最先商品の背面部を押圧する後続商品に対して一段高い位置にあるようにし、最先商品を取り出し易くしている。
【００３１】
また、前記両載せ台２２，２２をはさむ孔レール２１の前端部には発条帯２３の一端部を止着し、この発条帯の他端部は、前記孔レール２１上を前後に摺動するスライダー２４の当て板２５の両後側壁２６，２６間に設けた軸部２７に捲着して成る。
【００３２】
前記スライダー２４の両後側壁２６，２６の底面部は一体に成り、この底面部の左右両端部には前記孔レール２１の左右両側縁部に係合して摺動する凹溝を形成し、これを介してスライダーは孔レール２１上を前後に摺動するようになる。
【００３３】
２８は前記個別トレー１５の後端部に設けた段差部で、この低い段差部にはスライダー２４の両凹溝部が係合静止するようになる。
【００３４】
以上のトレー部については、図面では、大型で巾広のフリートレー１１には５個の個別トレー１５を並列に収容した状態（図１）を、小型の狭巾のフリートレー１１には３個の個別トレー１５を並列に収容した状態（図３）を示している。
【００３５】
さらに、トレー部のうちフリートレー１１上に載置する個別トレー１５にあっては、側面連続三角形状の傾斜段部２９・・から成る変形トレー３０を用意し、これをフリートレー１１上に載置した上で、三角形状に成る各傾斜段部上に個別トレー１５を載置し、商品を各傾斜段部上に傾斜状に陳列するという特別な方法をとることもできる。また、この傾斜段部に載置する個別トレー１５にあっては、何色かのカラータイプのものにして、陳列商品を強調するような宣伝手段をとることもできる。
【００３６】
Ｃ  作業台部
作業台部の大きさは、前記フレームユニット及びトレー部がそれぞれ大小２種の大きさから成るものに合わせているが、これは前記フレームユニットの底部の台板５部に設置する。
【００３７】
即ち、前記台板５下に構成する抽出し部６，６に作業板３１を挿入し、これを台板の開口部８方向に出し入れ自在に作動するが、作業板の前端部には手掛部３２を設けている。
【００３８】
前記作業板３０の下面部後端には下当接板３３を設け、この下当接板は、作業板の抽き出し時に前記抽出し部６，６の裏面部の前端左右両側部に設けたストッパー３４，３４に当接し、作業板の抜け出しを防止する。
【００３９】
３５は前記作業板２７の上面部後端部の左右両側に立設した上当接板で、この上当接板は台板５の前端曲折部９に当接し、これによって作業板は水平状態に安定保持されるようになる。
【００４０】
３６は前記作業板２７の下当接板３２の中央部から前方向に設けるクッション帯で、このクッション帯は使用中に作業板３１の自重によって垂下状態になったときの緩衝材となる。
【００４１】
Ｄ  その他の部材
３７は前記フレームユニットを上下方向に高段に連結するときの任意の接合手段１０，１０に加えてこれを補助する連結子である。
【００４２】
なお、フレームユニットを縦方向のみならず横方向に連結する場合には、任意の連結手段を介装して、横揺れ防止と安定性を保持するようにする。
【００４３】
さらに、比較的大きい商品を陳列したい場合には、大型のフリートレー１１の内部に２つのレール部材３８，３８を間隔をおいて並置し、このレール部材上には前後に摺動するスライダー２４，２４の当て板２５，２５を設け、この当て板の背面部に発条帯２３，２３の一端部を固着して前後に摺動し得るようにし、当て板の前面部で常時商品を押圧するようにする。このレール部材を付設したフリートレーを利用する商品としては、例えば缶ジュースや箱入り菓子がある。
【図面の簡単な説明】
【００４４】
【図１】一使用例の斜視図
【図２】一要部の斜視図
【図３】他使用例の斜視図
【図４】一要部の斜視図
【図５】一要部の斜視図
【図６】図５Ａ−Ａ線の断面図
【図７】一要部の一部切欠斜視図
【図８】(ａ)(ｂ)一要部の作用状態図
【図９】(ａ)(ｂ)他要部の作用状態図
【図１０】一要部の裏斜視図
【図１１】使用例の平面図
【図１２】一要部の斜視図
【図１３】一要部の斜視図
【図１４】一要部の斜視図
【図１５】使用状態例の斜視図
【符号の説明】
【００４５】
１，１                  枠杆
２，２                  ガイドレール
３，３                  ガイドレールの下側部
４，４                  切欠部
５                      台板
６，６                  抽出し部
７                      閉口部
８                      開口部
９                      前端曲折部
１０，１０，１０，１０  接合手段
１１                    フリートレー
１２                    ポケット壁部
１３，１３，１３        側面壁部
１４，１４              突起
１５                    個別トレー
１６                    側壁
１７                    ガイド壁
１８                    空間部
１９，１９              カードポケット
２０，２０              ほこり出し孔
２１                    孔レール
２２，２２              載せ台部
２３                    発条帯
２４                    スライダー
２５                    当て板
２６，２６              両後側壁
２７                    軸部
２８                    段差部
２９・・                傾斜段部
３０                    変形トレー
３１                    作業板
３２                    手掛部
３３                    下当接板
３４，３４              ストッパー
３５                    上当接板
３６                    クッション帯
３７                    連結子
３８，３８              レール部材
【図１】
2007307244.tif 000003
【図２】
2007307244.tif 000004
【図３】
2007307244.tif 000005
【図４】
2007307244.tif 000006
【図５】
2007307244.tif 000007
【図６】
2007307244.tif 000008
【図７】
2007307244.tif 000009
【図８】
2007307244.tif 000010
【図９】
2007307244.tif 000011
【図１０】
2007307244.tif 000012
【図１１】
2007307244.tif 000013
【図１２】
2007307244.tif 000014
【図１３】
2007307244.tif 000015
【図１４】
2007307244.tif 000016
【図１５】
2007307244.tif 000017